(57)【要約】      （修正有）【課題】鏡面にディスプレイと同じ画像を発生させる鏡面感応装置の提供。【解決手段】鏡面内部にセンサを利用してディスプレイ画像を表示するか否かを制御する感応装置が設けられ、鏡面の後方にディスプレイが設置され、該ディスプレイはセンサの制御により、表示起動の効果を達成し、鏡面周囲で軽く叩くことで発生する音響或いは鏡面周辺の振動を利用し、センサに信号を受け取らせ、これによりセンサを通しディスプレイを駆動して発光させ、並びに光線に鏡面を透過させ、鏡面にディスプレイと同じ画像を現出させ、鏡面の実用価値を高めた。【選択図】図１
0003112714.tif 000002
【実用新案登録請求の範囲】
【請求項１】
鏡面感応装置において、
鏡面の後方にディスプレイが設置され、該ディスプレイが少なくとも一つのセンサと電気回路の接続を形成し、これにより、センサを通してディスプレイの起動と停止が制御され、これにより鏡面上にディスプレイと同じ画像が現出されることを特徴とする、鏡面感応装置。
【請求項２】
請求項１記載の鏡面感応装置において、ディスプレイに時間、温度、湿度、文字或いは図形等の画像が現出されることを特徴とする、鏡面感応装置。
【請求項３】
請求項１記載の鏡面感応装置において、センサは音響を検出する音響コントロールセンサとされることを特徴とする、鏡面感応装置。
【請求項４】
請求項１記載の鏡面感応装置において、センサは物体動作を検出する検出センサとされることを特徴とする、鏡面感応装置。
【請求項５】
請求項１記載の鏡面感応装置において、鏡面が置き時計に応用され、鏡面が座体の前端に設けられ、ディスプレイは鏡面と座体の間に設けられ、センサが座体の四周に設置されたことを特徴とする、鏡面感応装置。
【請求項６】
請求項５記載の鏡面感応装置において、座体に複数の設定キーが設けられ、該設定キーがディスプレイの表示画像を設定するのに用いられることを特徴とする、鏡面感応装置。
【請求項７】
請求項５記載の鏡面感応装置において、座体内部に電源供給ユニットが設置されてディスプレイ駆動時に必要な電源を供給することを特徴とする、鏡面感応装置。
【請求項８】
請求項７記載の鏡面感応装置において、電源供給ユニットが乾電池とされたことを特徴とする、鏡面感応装置。
【請求項９】
請求項７記載の鏡面感応装置において、座体の背部の電源供給ユニットに対応する位置に、カバー板が設けられ、カバー板の開閉動作を通して電源供給ユニットの交換が行なえ、これによりディスプレイに正常な運転を保持させられることを特徴とする、鏡面感応装置。
【請求項１０】
請求項５記載の鏡面感応装置において、座体の背部に更に切り換えスイッチが設置され、切り換えスイッチを通して電源供給ユニットの起動或いは切断が制御されることを特徴とする、鏡面感応装置。
【請求項１１】
請求項５記載の鏡面感応装置において、座体に更に透音孔が設けられ、ディスプレイが更に発音の機能を具え、発音機能を通してディスプレイに現出される状態が同時に発音されることを特徴とする、鏡面感応装置。
【請求項１２】
請求項５記載の鏡面感応装置において、鏡面の両側に透光の框棒が設けられ、該框棒の後方に複数の発光体が設けられ、各発光体がセンサと回路の接続を形成し、これによりセンサがディスプレイを駆動すると同時に、発光体の発光を駆動し、発光体に投射させる光線が透光の框棒を透過し、これにより鏡面周囲に光線色彩の変化を発生させることを特徴とする、鏡面感応装置。
【請求項１３】
請求項１２記載の鏡面感応装置において、発光体が座体の設定キーと電気回路の接続を形成し、設定キーの押圧により発光体が駆動され発光することを特徴とする、鏡面感応装置。
【考案の詳細な説明】
【技術分野】
【０００１】
本考案は一種の鏡面感応に関係があり、特に鏡面周辺を軽く叩いて発生する音響或いは鏡面周辺の振動をセンサで感応してディスプレイが画像を表示するか否かを制御する感応装置に関する。
【背景技術】
【０００２】
日常生活にあって、鏡面の使用は相当に広く、一般家庭が必ず備えている物品であるほか、広く美容院、理髪店、衣料店等の画像反射を必要とする場所で使用され、更に女性が必ず携帯する物品である。
【０００３】
伝統的な鏡面は画像を反射するのに用いられ、人が自己検査するのを助けるか、或いは鏡面反射の原理を通して空間の視覚効果を増し、また鏡面に文字、図案等を加えることで鏡面の外観上の美観が増し、またパーティーにも使用される。
【０００４】
伝統的な鏡面は画像を反射するだけで、明らかに鏡面が単調であり、このため鏡面に文字或いは図案を加えて鏡面の美観を増すほか、鏡面にディスプレイを取り付けて現在時間、温度或いは湿度を表示するようにしたものもある。
【０００５】
しかし鏡面にディスプレイを取り付ける方式は、往々にして鏡面に溝孔を形成して鏡面を該溝孔中に設置してからでなければディスプレイに時間、温度或いは湿度の画像を現出させられない。また、ディスプレイが鏡面の後方に設置されて、ディスプレイの発光体を発光させることでその投射する光線に鏡面を通過させ、それに鏡面にあって時間、温度或いは湿度等の画像を現出させて、鏡面の付加価値を高めたものもある。
【０００６】
しかし鏡面に予め溝孔を開設してディスプレイを設置するにしても、ディスプレイを鏡面の後方に設置するにしても、唯一不変であることは、ディスプレイが恒常的に起動状態を保持することである。言い換えると、鏡面に永遠に時間、温度、湿度等の画像が現出され、このような長時間の使用下で必然的にもともとの設計の効果が失われてしまう。
【考案の開示】
【考案が解決しようとする課題】
【０００７】
本考案の目的はセンサとディスプレイの結合により、鏡面周辺を軽く叩く時に発生する音響或いは鏡面周辺の振動によりセンサに信号を受け取らせてディスプレイを駆動し、ディスプレイに時間、温度、湿度、文字或いは図形等の画像を現出させ鏡面を通して鏡面に表示することで、鏡面にディスプレイと同じ画像を発生させ、これにより鏡面応用上の付加価値を増すことにある。
【０００８】
本考案の別の目的は、鏡面の周辺に更に透光の框棒を設け、框棒内部に複数の発光体を設け、且つ各発光体とセンサの回路を接続し、これによりディスプレイの起動と同時に、発光体を駆動して発光させ、発光体の投射する光線が框棒を透過して鏡面周辺に光線色彩の変化を現出するようにし、これにより鏡面使用上の効果を増すことにある。
【課題を解決するための手段】
【０００９】
請求項１の考案は、鏡面感応装置において、
鏡面の後方にディスプレイが設置され、該ディスプレイが少なくとも一つのセンサと電気回路の接続を形成し、これにより、センサを通してディスプレイの起動と停止が制御され、これにより鏡面上にディスプレイと同じ画像が現出されることを特徴とする、鏡面感応装置としている。
請求項２の考案は、請求項１記載の鏡面感応装置において、ディスプレイに時間、温度、湿度、文字或いは図形等の画像が現出されることを特徴とする、鏡面感応装置としている。
請求項３の考案は、請求項１記載の鏡面感応装置において、センサは音響を検出する音響コントロールセンサとされることを特徴とする、鏡面感応装置としている。
請求項４の考案は、請求項１記載の鏡面感応装置において、センサは物体動作を検出する検出センサとされることを特徴とする、鏡面感応装置としている。
請求項５の考案は、請求項１記載の鏡面感応装置において、鏡面が置き時計に応用され、鏡面が座体の前端に設けられ、ディスプレイは鏡面と座体の間に設けられ、センサが座体の四周に設置されたことを特徴とする、鏡面感応装置としている。
請求項６の考案は、請求項５記載の鏡面感応装置において、座体に複数の設定キーが設けられ、該設定キーがディスプレイの表示画像を設定するのに用いられることを特徴とする、鏡面感応装置としている。
請求項７の考案は、請求項５記載の鏡面感応装置において、座体内部に電源供給ユニットが設置されてディスプレイ駆動時に必要な電源を供給することを特徴とする、鏡面感応装置としている。
請求項８の考案は、請求項７記載の鏡面感応装置において、電源供給ユニットが乾電池とされたことを特徴とする、鏡面感応装置としている。
請求項９の考案は、請求項７記載の鏡面感応装置において、座体の背部の電源供給ユニットに対応する位置に、カバー板が設けられ、カバー板の開閉動作を通して電源供給ユニットの交換が行なえ、これによりディスプレイに正常な運転を保持させられることを特徴とする、鏡面感応装置としている。
請求項１０の考案は、請求項５記載の鏡面感応装置において、座体の背部に更に切り換えスイッチが設置され、切り換えスイッチを通して電源供給ユニットの起動或いは切断が制御されることを特徴とする、鏡面感応装置としている。
請求項１１の考案は、請求項５記載の鏡面感応装置において、座体に更に透音孔が設けられ、ディスプレイが更に発音の機能を具え、発音機能を通してディスプレイに現出される状態が同時に発音されることを特徴とする、鏡面感応装置としている。
請求項１２の考案は、請求項５記載の鏡面感応装置において、鏡面の両側に透光の框棒が設けられ、該框棒の後方に複数の発光体が設けられ、各発光体がセンサと回路の接続を形成し、これによりセンサがディスプレイを駆動すると同時に、発光体の発光を駆動し、発光体に投射させる光線が透光の框棒を透過し、これにより鏡面周囲に光線色彩の変化を発生させることを特徴とする、鏡面感応装置としている。
請求項１３の考案は、請求項１２記載の鏡面感応装置において、発光体が座体の設定キーと電気回路の接続を形成し、設定キーの押圧により発光体が駆動され発光することを特徴とする、鏡面感応装置としている。
【考案の効果】
【００１０】
本考案は一種の鏡面感応装置を提供し、それは伝統的な鏡面の後方にディスプレイを設置し、また該ディスプレイはセンサの制御を通して表示起動の効果を達成するものとし、軽く鏡面周辺で叩くことで発生する音響或いは鏡面周辺の振動によりセンサに信号を受信させ、更にセンサによりディスプレイを駆動して発光させ、並びに光線に鏡面を通過させて鏡面にディスプレイと同じ画像を現出させ、伝統的な鏡面の実用価値を高めたものとする。
【考案を実施するための最良の形態】
【００１１】
本考案の鏡面感応装置の構造は図１に示されるようであり、鏡面１０の後方にディスプレイ２０が設置され、該ディスプレイ２０は時間、温度、湿度、文字或いは図形等の画像を表示でき、また該ディスプレイ２０は少なくとも一つのセンサ３０と電気回路の接続を形成し、該センサ３０は音響を検出する音響コントロールセンサ或いは物体動作を検出する検出センサとされ、該センサ３０はディスプレイ２０内或いは鏡面１０の周辺位置に置かれ得る。
【００１２】
ゆえに、鏡面１０が平常使用される時、その外表にどのような画像も表示されず、僅かに画像を反射するだけである。鏡面周辺で軽く叩くことで発生する音響或いは鏡面周辺における振動がセンサ３０に検出され、これにより信号がディスプレイ２０に送られ、ディスプレイ２０が駆動されて時間、温度、湿度、文字或いは図形等の画像を表示し、並びにディスプレイ２０に現出された画像が鏡面１０を通り、鏡面１０上にディスプレイ２０に投射されるのと同じ画像を現出させる。図示されるように、鏡面１０に現出される時間は１２：００であり、これにより鏡面１０応用上の付加価値が増す。
【００１３】
ディスプレイ２０がある時間駆動されると、ディスプレイ２０内部の回路の設定により、電源を自己切断し、設定が複数秒間とされると、ディスプレイ２０が自動で電源を切断し、これにより電気エネルギーの消耗を減らし、エネルギー資源節約の効果を達成する。
【００１４】
図２に示されるように、鏡面１０が置き時計４０に応用される時、鏡面１０は座体４１の前端に設けられ、ディスプレイ２０は鏡面１０と座体４１の間に設けられる。図３も併せて参照されたい。センサ３０が座体４１の周囲に設けられ、該座体４１に更に複数の設定キー４２が設けられ、該設定キー４２がディスプレイ２０の表示画像を設定するのに用いられ、また座体４１内部に電源供給ユニット４３が設けられる。本実施例では、乾電池が電源供給ユニットとされてディスプレイ２０駆動時に必要な電源を供給するのに用いられる。
【００１５】
座体４１が卓上に設置される時、物体が座体４１の周囲で振動するか或いは座体４１を軽く叩いて音響を発生する時、センサ３０が物体の発生する音響或いは動作に感応し、更にディスプレイ２０を駆動し、ディスプレイ２０に電源供給ユニット４３の提供する電源を得させて設定キー４２により設定された表示したい画像を現出する。図４では設定は時間の表示とされ、これによりディスプレイ２０に時間の画像が現出される時、鏡面１０に現在の時間が現出し、これにより操作者は速やかに正確な時間を知ることができる。また、設定キー４２を使用してディスプレイ２０の現出する画像を温度或いは時間に設定でき、これにより全体の鏡面１０の使用を更に広げている。
【００１６】
図５では、座体４１の背部の電源供給ユニット４３に対応する位置に、図３も併せて参照されたいが、カバー板４４が設けられ、カバー板４４の開閉動作を通して電源供給ユニット４３の交換を達成できる。これによりディスプレイ２０が正常な運転を保持できる。
【００１７】
座体４１の背部に更に切り換えスイッチ４５が設けられ、切り換えスイッチ４５により電源供給ユニット４３の起動或いは停止を制御でき、切り換えスイッチ４５が切断状態にある時、電源供給ユニット４３はディスプレイ２０に電源を供給できず、これにより鏡面１０には画像は現出不能である。反対に、起動状態の時は、ディスプレイ２０の電源を供給でき、センサ３０を通してディスプレイ２０が駆動される時に鏡面１０に画像が現出する。
【００１８】
このほか、座体４１に透音孔４６が設置され、ディスプレイ２０が発音の機能を具備するものとされ、センサ３０がディスプレイ２０を駆動してディスプレイ２０に画像を現出させると同時に、発音機能によりディスプレイ２０に現出される状態、例えば現在の時間、温度或いは湿度を放送し、操作者に正確にディスプレイ２０上の状態を知らせることができる。
【００１９】
図６に示されるように、座体４１の鏡面１０の両側に更に透光の框棒４７が設置され、框棒４７の後方に複数の発光体４８が設置され、各発光体４８はそれぞれセンサ３０と電気回路の接続を形成し、センサ３０がディスプレイ２０を駆動すると同時に、発光体４８の発光を駆動し、これにより発光体４８の投射する光線により透光の框棒４７を透過し、全体の置き時計４０が光線色彩の変化を発生し、夜間使用時に、補助照明の設備とされて、暗いところで、鏡面反射時の照明補助とされる。
【００２０】
このほか、該発光体４８が更に座体４１に設置された設定キー４２と電気回路の接続  可能で、設定キー４２の押圧の動作により、発光体４８が駆動されて、エネルギーの損耗が減らされる。
【００２１】
但し、上述の各名称は本考案の技術内容により定められ、本考案の権利範囲を限定しない。ゆえに、本考案の創作精神と等しい効果の部品の変換、代替えはいずれも本考案の請求範囲内に属する。
【図面の簡単な説明】
【００２２】
【図１】本考案の表示図である。
【図２】本考案の置き時計に応用された表示図である。
【図３】本考案の置き時計に応用された側面表示図である。
【図４】本考案の置き時計に応用された使用状態表示図である。
【図５】本考案の置き時計に応用された背部表示図である。
【図６】本考案の置き時計に応用された別の使用状態表示図である。
【符号の説明】
【００２３】
１０  鏡面
２０  ディスプレイ
３０  センサ
４０  置き時計          ４１  座体
４２  設定キー          ４３  電源供給ユニット
４４  カバー板          ４５  切り換えスイッチ
４６  透音孔            ４７  框棒
４８  発光体
【図１】
0003112714.tif 000003
【図２】
0003112714.tif 000004
【図３】
0003112714.tif 000005
【図４】
0003112714.tif 000006
【図５】
0003112714.tif 000007
【図６】
0003112714.tif 000008